(57)【要約】      （修正有）【課題】簡便、快適、且つ衛生的に使用でき、使い捨ても考慮して製造性を大幅に向上した男性用排尿具を提供することができる。【解決手段】合成樹脂製袋１の上端開口部の中央部に、柔軟な布あるいは不織布の袋あるいは下端開放の筒状体２からなる陰茎保持体を挿入配置し、合成樹脂性袋の開口上端縁と陰茎保持体は合成樹脂性袋自身の熱融着によって固着し、合成樹脂製袋内の陰茎保持体は下方に向かって小径に構成したもの。【選択図】図１
2010162113.tif 000002
【特許請求の範囲】
【請求項１】
合成樹脂製袋の上端開口部の中央部に、透水性の柔軟な布あるいは不織布からなる装着筒体を設けるものであって、この装着筒体は合成樹脂性袋の開口上端縁に合成樹脂製袋自身の熱融着によりその中間部が固着され、且つ、合成樹脂製袋内に収納配置される装着筒体は下方に向かって窄むテーパー形状に形成し、更に合成樹脂製袋内に液吸収シートを収納したものである男性用排尿処理具。
【請求項２】
合成樹脂製袋の上端開口部の中央部に、透水性の柔軟な布あるいは不織布からなる装着筒体を設けたものであって、この装着筒体は合成樹脂性袋の開口上端縁に合成樹脂製袋自身の熱融着によりその中間が固着され、更に、装着筒体の下端を開放してある男性用排尿処理具。
【請求項３】
合成樹脂製袋の上端開口部の中央部に、透水性の柔軟な布あるいは不織布からなり、有底あるいは下端が開放された装着筒体を設けたものであって、この装着筒体は合成樹脂性袋の開口上端縁に合成樹脂製袋自身の熱融着により固着され、合成樹脂製袋内に収納配置される装着筒体は下方に向かって窄むテーパー形状に形成されているものである男性用排尿処理具。
【請求項４】
前記請求項１乃至３の何れかの項に記載した男性用排尿処理具において、
装着筒体の上方端に一対の通路を設け、この通路に紐を通して巾着方式で前記装着筒体の上方端を窄め閉じるようにした男性用排尿処理具。
【請求項５】
前記請求項１乃至３の何れかの項に記載した男性用排尿処理具において、
装着筒体の上方端に一対の襟を設け、これら両方の襟を重ねた後に剥離テープで両方の襟を固着するように構成したものである男性用排尿処理具。
【請求項６】
前記請求項１乃至５の何れかの項に記載した男性用排尿処理具において、
合成樹脂製性袋の下半分以下の大きさの液吸収シートを合成樹脂製袋の下方に収納したものである男性用排尿処理具。
【発明の詳細な説明】
【技術分野】
【０００１】
本発明は、携帯用や緊急時に使用され、あるいは、入院患者、寝たきり、高齢、又は身体障害のためトイレに行けない人にも簡単、且つ、快適に排尿処理ができる男性用排尿具に関する。
【背景技術】
【０００２】
車を運転中に、交通渋滞に巻き込まれたり、吹雪や猛烈な降雨等の気象条件下で尿をもよおすと、その処理に困ることを我々はしばしば経験する。
止む無く車を路肩などに停止させて用を足している情景を眼にすることがあるが、この行為は法令に反するばかりでなく、後続する車に追突されるなど事故誘発の要因になり、これは絶対に回避しなければならない。
しかしながら、生理現象を手メルコとは困難で、余儀なく前記行為に及んでいるのが実情である。
この事態を回避するため、あるいは、入院患者等トイレで排尿処理が困難な場合もあり、簡便な排尿処理具の提供が望まれている。
【０００３】
前記に着目し、発明者は、下記の特許文献で男性用排尿具を既に提案している。
これらの特許文献に記載した発明は、何れも緊急事態に対処可能な一定の効果を期待することができるものであるが、快適性、製作性等については尚充全なものとなっていない。
【先行技術文献】
【特許文献】
【０００４】
【特許文献１】特開平１１−９９１６６号公報
【特許文献２】特開２０００−２１０３２３号公報
【発明の概要】
【発明が解決しようとする課題】
【０００５】
前記特許文献１記載の発明においては、合成樹脂製袋１の上方に透水性袋２を接着剤６で固着するものであるが、どちらも軟らかく不定形な袋同士を接着剤で接着することが困難で製作性に課題を有している。又、合成樹脂製袋１も上方を窄めた専用の瓶形に形成しなければならず、コスト高になり、使い捨てを指向しているとは言いがたい。
又、特許文献２記載の発明は、合成樹脂製袋３の上方に透水性筒体２を固着し、更にこの透水性筒体２の下端に吸水シート４を両面接着シート５で接着するようにし、更にこの給水シート４の外側にポリマーシート６を配するように構成しているものであるが、これも前記特許文献１と同様に構成が複雑で製造工程が多く、安価に入手できて簡便に用いられ、使い捨てを指向するには不充分であった。
これらの要因は、前記両発明共に構成が複雑で多大の製造コストが掛かることにある。
【０００６】
そこで本発明は、簡便、快適、且つ衛生的に使用でき、使い捨ても考慮して製造性を向上した男性用排尿処理具を提供することを目的としてなされたものである。
【課題を解決するための手段】
【０００７】
前記目的を達成するために本発明は、合成樹脂製袋の上端開口部の中央部に、透水性の柔軟な布あるいは不織布からなり、有底あるいは下端が開放された装着筒体を設けたものであって、この装着筒体は合成樹脂性袋の開口上端縁に合成樹脂製袋自身の熱融着により固着され、合成樹脂製袋内に収納配置される装着筒体は下方に向かって窄むテーパー形状に形成したものである。
【発明の効果】
【０００８】
本発明は前述のように構成したので、簡便、快適、且つ衛生的に使用でき、製造性を向上して大幅なコストダウンを達成し、使い捨てを考慮した簡便な男性用排尿処理具を提供することができる。
【図面の簡単な説明】
【０００９】
【図１】本発明の一実施例を示すもので男性用排尿具の正面図。
【図２】同中央縦断面図。
【図３】同図において装着筒体の上方端を窄めた状態を示す正面図。
【図４】装着保持方法を観音開きにした例を示す正面図。
【図５】同じくその取り付け過程を示す正面図。
【図６】同じく観音開きと紐を用いる例を示す正面図。
【図７】吊り下げ紐の斜視図。
【発明を実施するための形態】
【００１０】
本発明の形態は、合成樹脂製袋の上端開口部の中央部に、透水性で柔軟な布あるいは不織布の袋あるいは下端開放の筒状体からなる陰茎への装着筒体を挿入配置すること、合成樹脂性袋の開口上端縁と装着筒体は合成樹脂性袋自身の熱融着によって固着されていること、合成樹脂製袋内に収納配された装着筒体は下方に向かって窄むテーパー形状あるいは小径に形成したものである。
【００１１】
以下本発明の一実施例を図面を参照して説明する。
１は、上方が開口した合成樹脂製袋で、成人男性が一回で排尿する４００ＣＣ程度の尿を収納するのに充分な大きさの袋である。我々が試作したこの袋の大きさは、縦が約２５センチメートル、横が１８センチメートル程度である。
尚、この袋は市販の標準的な袋をそのまま使用することができるので、専用の製造ラインや製袋機などの所期設備投資は不要になり、製造コストが減少する。
【００１２】
２は、前記合成樹脂製袋１の開口端縁の上方中央部内面に固着する陰茎への装着筒体である。この装着筒体２は充分な透水性を有している軟質な不織布や布で構成しており、合成樹脂性袋１内に位置する部分は下方に向けてテーパー形状３に形成し、その下端は開放した穴４としている。この穴４は、円形に変形したときに、普通の使用者の陰茎の先端部と同等寸法になるように設定してある。
【００１３】
透水性が充分であり、高さ寸法が充分に大きな場合は、陰茎の先端が装着筒体２の底部に当たることはないので、必ずしも下端に開放した穴４を設ける必要はないが、高さ寸法が小さい場合は、装着時に陰茎の先端が当接する違和感も生じるので開放穴４を設けるのが使用性を考慮すると好ましい。
又、穴４を設ければ、装着筒体２の素材を可及的に少なくすることができるので、材料軽減、コストの面で有利である。
【００１４】
装着筒体２の上端周縁には通路５を形成し、この通路５に装着筒体と同じ不織布から構成した紐状体６を通している。
装着筒状体２の材質を種々の布や不織布を試したが、柔らかい不織布が肌に優しくフィットし、確実に陰茎に装着でき点で好適であった。
尚、我々が使用した装着筒体２の大きさは、上方開口周長寸法を１５センチメートル、下端の周長を１１センチメートル、高さを９センチメートルとした。又、袋１内に入る後述するテーパー部の高さ方向寸法は、４〜５センチメートルであり、排出した尿を袋１の下方に収容した後述する吸収シート７に直接当てるようにしている。
【００１５】
７は、合成樹脂性袋１内に収納したポリマーシートと称される尿の吸収シートであり、尿などの液体を吸収してゲル化あるいは固化する。液体が固化あるいは半固化されることにより、形が定まらない液体の状態よりも排尿後の処理が簡単になる。又、最近は体積の数百倍以上の液体を吸収してゲル化する吸収粉末物もあるので、これらも適宜使用することができる。吸収粉末は、デンプンなどに放射線を付与し、架橋した組織にすることによって得られるものが知られており、これを用いれば材料が植物性であることから、使い捨て廃棄しても自然環境を破壊することがなく自然に優しいものなる。
【００１６】
尚、前記吸収シート７は、合成樹脂製袋１の下半分に入る程度の大きさとし、袋を上下半分に折って収納したり、携帯したりするのに便利なように考慮してある。
８は合成樹脂製袋１上端縁のシール部、９は上方のコーナー部のシール部を示している。
シール部９でシールされた左右外側のコーナー部には、後述する紐を引っ掛けて本考案排尿具を使用者の体に装着して使用するための穴１０をそれぞれ穿設している。
【００１７】
次に、熱融着により合成樹脂製袋１の上端開口部に装着筒体２を固着する方法について説明する。
先ず、合成樹脂製袋１の上方開口部の中央部分に装着筒体２の半分程度を挿入する。
次に、シーラー（シールする機械）により、シール部８及び９の部分を加熱して熱融着によりシールする。このシール作業はシール部８あるいは９部に対して別工程で行ってもよいが、同時に行うのが工程を減じ、製造コストを下げるために好適である。
【００１８】
シール部８について説明すると、既知の方法で袋１の表と裏からシール部８全体に挟持的圧力を付与し、この状態で熱エネルギーを与えてシールするものである。袋１の上端縁で装着筒体２に接している部分は溶けて装着筒体２の表面に融着し、それ以外の部分の表と裏のシート同士が融着する。これによって本考案の排尿処理部が構成される。
シール９部は前記と同様袋１の表と裏のシート同士が溶けて融着する。
【００１９】
熱融着の手段は高周波によるもの、超音波によるもの、ニクロム線ヒーターによるもの等種々あるが、要は融着できればよいので、製造者が選択的に実施すればよい。
このとき重要なことは、特に開口部のシール部８のシールは、不織布の内側には袋の樹脂が浸み出ないようにすることである。溶融樹脂が装着筒体２の内側に浸み出ると、冷えて硬化した樹脂が装着したときに局部の肌に当たり、不快感を醸し出すばかりでなく、肌を傷つける虞があるためである。このシール８によって、装着筒体２の内面は筒状体を維持し、それ以外の部分は密封され、通常の袋体となり、陰茎の挿入と装着が違和感なく快適に行いうる。
シール状態は、シール部に付与する熱エネルギーをシーラーの出力により調整したり、シール部に当てる加熱部材の圧力などを変えるなど、通常の方法で調整し、最適な状態で熱融着シールを行えばよい。
【００２０】
次に、使用方法について説明する。尿意を模様したときは、先ず、陰茎を装着筒体２に挿入する。
このとき、陰茎の先端は、長い円周長の装着筒体２の上端からスムースに挿入され、その後テーパー形状３に案内されて自然に袋の中央に向くので、横方向に尿が飛散することがない。
特に、テーパー形状３下端に開口させた穴４は、陰茎先端部と略同様の寸法としてあることにより、挿入するにつれて自由形状の装着筒体２が中央下方に引っ張られる状態となり、装着筒体２がテーパー形状にリジットになり、陰茎が袋１の下端中央に向くことになるものである。
陰茎が中央下方に向って保持されれば、前記のように尿が横方向に飛散することがなくなるのである。特に、袋が透明のとき、尿が横方向に飛散すると不潔感があるが、本発明ではそれがない。
【００２１】
陰茎を装着筒体２に挿入後、図３に示すように、必要により紐状体６を左右に軽く引き、あたかも巾着の口を閉める如くに装着筒体２を陰茎に優しく装着する。この状態で排尿すれば用を足すことができる。両手が自由の場合は、袋１のコーナー部を摘んで袋を位置決めし、排尿すればよい。
袋１の中への排尿はポリマーシートに直接的に当たり、瞬間的にあるいは極めて短時間で吸収シートに吸収されてゲル化あるいは半固化するので、後処理が簡単になる。
このように、ポリマーシートは、液を吸収して短時間あるいは瞬間的にゲル化あるいは半固化するので、排尿の後に尿が液の状態になっているのは極めて短時間であり、逆流が防がれ、衛生的である。
一方前述した特許文献２では、排尿が吸収シート４を介してポリマーシートに伝わっていくように構成されているので、ポリマーシートによってゲル化するまで長い時間が掛かり、逆流の虞もあって不衛生なものとなっている。
用を足した後は紐状体を左右に強く引き、装着筒状体２の口を確実に塞げば、袋１内の汚物が外に出ることがなく、衛生的に処理できるものである。
【００２２】
図４は、図３の巾着方式に変えて、二つの襟１１、１２を持つ観音開き方式とし、装着のため剥離テープ１３を設けたものである。剥離テープ１３は通常接着面に薄いフィルムが貼着されており、使用するときはこの貼着フィルムを剥がして接着に用いるものである。剥離テープ１３は一般に市販されているので、それをも用いればよい。
装着は、図５のように、一方の襟１１を陰茎の肌に当て他方の襟１２を襟１１に重ね合わせ、その後剥離テープ１３を先の襟１１の外面に接着して行う。
この重ねあわせ方法によれば、少なくとも巾着方式に比べると、迅速、且つ簡便であり、製造性にも優れているので量産に適している。
図６は、観音開き方式で紐状体６を用いて装着する例を示したものである。
図７に示した紐１４は、本考案の排尿具を体の一部、例えば腰に吊り下げて使用する吊り下げ紐で、紐の先端に設けたフックを袋１の穴に引っ掛けて使用する。これは、両手あるいは片手が塞がっているときなどに使用すると便利である。
【００２３】
以上述べたように、本考案の一実施例によれば次のような種々の効果が期待できる。
前記で述べた従来技術に比して部品点数が少なくなるので原材料が安くなる。
市販の標準的な袋が使用でき、構成も単純であるので、シール装置があれば実現可能であり、新たに製造ラインを設備し、高価な製袋機を購入するなど高額な初期投資が不要になり、本考案排尿処理具の大幅なコストダウンを達成することができ、使い捨てに好適な排尿処理具を提供することができる。
又、装着筒体の下方をテーパー形状にすることにより、袋１の中央下部に向けて確実に放尿でき、不潔感を払拭できる。
又、放尿された尿が直接的にポリマーシートに当てるようにしているので、尿がゲル化する時間が短く、逆流の危険性が低く衛生的である。
更に、ポリマーシート等の吸収体を袋１の縦半分以下の寸法とすれば、袋１を上下方法に半分折ることができ、収納性や携帯性を更に向上することができる。
【符号の説明】
【００２４】
１      合成樹脂製袋
２      装着筒体
３      テーパー部
４      穴
５      通路
６      紐状体
７      吸収シート
８      シール部
９      シール部
１０    引っ掛け穴
１１    襟
１２    襟
１３    剥離テープ
１４    吊り下げ紐
【図１】
2010162113.tif 000003
【図２】
2010162113.tif 000004
【図３】
2010162113.tif 000005
【図４】
2010162113.tif 000006
【図５】
2010162113.tif 000007
【図６】
2010162113.tif 000008
【図７】
2010162113.tif 000009